(57)【要約】【課題】  手軽に携帯でき、犬の排泄物を容易に収納できて持運べ、排泄物を手や容器等を汚すことなく容易に処理でき、これらが片手で行え、使い勝手が良く、排泄物と中敷紙をゴミ袋等にスムーズに入れられ、閉塞状態を片手だけによるワンタッチ操作で簡単に解除でき、閉塞状態を確実に維持でき、取扱い容易で、構成簡素で、損傷し難く、耐久性に優れ、外観上の体裁が良く、量産に適し、経済的な犬用携帯排泄物収納容器を提供する。【解決手段】  容器本体Ａと容器蓋体Ｂと中敷紙１０とを備え、係止機構は、容器蓋体Ｂの一端がわに揺動自在に装着する係止枠片４と、係止枠片４に連設する操作レバー６と、容器本体Ａの一端部分に突設する係止突起３とを有し、容器本体Ａの一端がわ底部には一端がわに行くに従って漸次浅底となる傾斜状態の排出用傾斜面２を形成し、排泄物を中敷紙１０と共に廃棄できるよう構成する。【選択図】図２
0003110102.tif 000002
【実用新案登録請求の範囲】
【請求項１】
比較的大きな開口部を上部に有する容器本体と、この容器本体の他端部分に設けた枢支部を介して上下方向に揺動自在となるよう装着されると共に、容器本体の上部開口部分を開閉自在となるよう形成される容器蓋体と、容器本体内にセットされる中敷紙とを備え、容器蓋体の上部には取手を設け、容器本体及び容器蓋体の一端部分には適宜係止機構を配し、この係止機構は、容器蓋体の一端がわにピンを介して揺動自在に装着される係止枠片と、係止枠片の上端部に一体的に連設される操作レバーと、係止枠片の下端部分に設けた係止段部が係脱自在に係止されると共に、容器本体の一端部分に突設される係止突起とを有し、容器蓋体による容器本体の上部開口部分の閉塞状態を、解除及び維持できるように形成され、容器本体の一端がわ底部には排出用傾斜面を形成し、この排出用傾斜面は、一端がわに行くに従って漸次浅底となるような傾斜状態に形成されて、容器本体内の犬の排泄物を中敷紙と共に容器本体の一端がわから廃棄できるよう構成したことを特徴とする犬用携帯排泄物収納容器。
【考案の詳細な説明】
【技術分野】
【０００１】
本考案は、主に、犬の散歩中に手軽に携帯でき、犬の排泄物（糞）を容易に収納できて、持運び易く、収納された排泄物を容易に処理（廃棄）でき、しかも、外観上の体裁が良く、取扱いが簡単で、その構成自体が簡素となり、低廉に提供できるように工夫した犬用携帯排泄物収納容器に関するものである。
【背景技術】
【０００２】
従来、この種の犬用携帯排泄物収納容器としては、例えば、特許文献１に示すような犬用携帯トイレが開示されている。
これは、内部が中空状で上端を開口したケース本体と、このケース本体の上端開口を開閉可能な蓋体と、前記ケース本体の対面し合う部分の上端部近傍に回動可能に取付けられた手提げ部とを有し、前記蓋体の上面に蓋体握り部を手提げ握り部と平行に設けるとともに、該蓋体の両端に設けたガイド孔に手提げ両端部を上下摺動可能に挿通させて、蓋体が手提げ部と共に回動するよう構成したものである。
【０００３】
【特許文献１】特開２００３−２３８９９
【考案の開示】
【考案が解決しようとする課題】
【０００４】
ところが、前述の如き犬用携帯トイレにあっては、ケース本体にビニール袋を所定の状態に装着しなければならず、このビニール袋の装着や取外しが面倒となる難点があった。  更に、ビニール袋に収納された犬糞自体の廃棄処理やビニール袋自身の分別処理も面倒となる難点があった。
しかも、犬用携帯トイレ自体の組立て状態が複雑で、取扱い難い等の難点もあった。
【課題を解決するための手段】
【０００５】
そこで、本考案は、前述の如き課題等を達成できるようにするのは勿論のこと、構成が簡素で、耐久性に優れ、外観上の体裁が良く、量産し易く、経済的な犬用携帯排泄物収納容器を提供すべく案出されたものである。
【０００６】
しかして、請求項１記載の犬用携帯排泄物収納容器にあっては、比較的大きな開口部を上部に有する容器本体Ａと、この容器本体Ａの他端部分に設けた枢支部を介して上下方向に揺動自在となるよう装着されると共に、容器本体Ａの上部開口部分を開閉自在となるよう形成される容器蓋体Ｂと、容器本体Ａ内にセットされる中敷紙１０とを備え、容器蓋体Ｂの上部には取手１を設け、容器本体Ａ及び容器蓋体Ｂの一端部分には適宜係止機構を配し、この係止機構は、容器蓋体Ｂの一端がわにピン７を介して揺動自在に装着される係止枠片４と、係止枠片４の上端部に一体的に連設される操作レバー６と、係止枠片４の下端部分に設けた係止段部５が係脱自在に係止されると共に、容器本体Ａの一端部分に突設される係止突起３とを有し、容器蓋体Ｂによる容器本体Ａの上部開口部分の閉塞状態を、解除及び維持できるように形成され、容器本体Ａの一端がわ底部には排出用傾斜面２を形成し、この排出用傾斜面２は、一端がわに行くに従って漸次浅底となるような傾斜状態に形成されて、容器本体Ａ内の犬の排泄物を中敷紙１０と共に容器本体Ａの一端がわから廃棄できるよう構成する手段を採用した。
【考案の効果】
【０００７】
従って、本考案の請求項１によれば、犬の散歩中に手軽に携帯できて、犬の排泄物（糞）を容易に収納でき、これを持運び易いものとなる。更に、これらが片手で行える使い勝手の優れたものとなる。
しかも、構成が簡素で、損傷し難く、耐久性に優れ、外観上の体裁も良く、量産に適し、経済的な犬用携帯排泄物収納容器となる。
【０００８】
特に、容器本体Ａ及び容器蓋体Ｂの一端部分には適宜係止機構を配し、この係止機構は、容器蓋体Ｂの一端がわにピン７を介して揺動自在に装着される係止枠片４と、係止枠片４の上端部に一体的に連設される操作レバー６と、係止枠片４の下端部分に設けた係止段部５が係脱自在に係止されると共に、容器本体Ａの一端部分に突設される係止突起３とを有し、容器蓋体Ｂによる容器本体Ａの上部開口部分の閉塞状態を、解除及び維持できるように形成したので、操作レバー６を押圧して係止枠片４を揺動させるだけで、容器蓋体Ｂによる容器本体Ａ上部開口部分の閉塞状態を、片手だけによるワンタッチ操作で簡単に解除できるようになる。
更に、係止機構により、容器蓋体Ｂによる容器本体Ａの上部開口部分の閉塞状態を、確実に維持できるようになる。
しかも、係止機構自体は、その構成が簡素で、耐久性に優れ、誰でも容易に取扱えるものとなり、この種の犬用携帯排泄物収納容器に最適なものとなる。
【０００９】
また、容器本体Ａの一端がわ底部には排出用傾斜面２を形成し、この排出用傾斜面２は、一端がわに行くに従って漸次浅底となるような傾斜状態に形成されて、容器本体Ａ内の犬の排泄物を中敷紙１０と共に容器本体Ａの一端がわから廃棄できるよう構成したので、容器本体Ａ内に収納された排泄物を、手や収納容器等を汚すことなく誰でも容易に処理（廃棄）できるようになる。すなわち、犬の排泄物と中敷紙１０をゴミ袋等にスムーズに入れられるようになり、その取扱いが容易となる。
【考案を実施するための最良の形態】
【００１０】
以下、本考案を図示例に基づいて説明すると、次の通りである。
本考案は、主に、犬の散歩中に携帯し、犬の排泄物（糞）を収納したまま持運べ、この排泄物を容易に処理（廃棄）できるようにした犬用携帯排泄物収納容器である。
具体的には、比較的大きな開口部を上部に有すると共に平面略楕円状に形成される容器本体Ａと、この容器本体Ａの他端部分に設けた枢支部を介して上下方向に揺動自在となるよう装着されると共に、容器本体Ａの上部開口部分に合致してこれを開閉自在となるよう形成される容器蓋体Ｂと、この容器本体Ａ内にセットされる中敷紙１０とで構成されている。
【００１１】
そして、容器蓋体Ｂの上部には、取手１が設けられており、携帯し易いように形成されている。
【００１２】
また、容器本体Ａ及び容器蓋体Ｂの一端部分には適宜係止機構が配されており、この係止機構は、容器蓋体Ｂによる容器本体Ａの上部開口部分の閉塞状態を、解除及び維持できるように形成されている。
【００１３】
それから、容器蓋体Ｂを揺動せしめて容器本体Ａの上部開口部分が開口状態となることで、犬の排泄物を中敷紙１０の上に載置可能となるように構成されている。
しかも、容器本体Ａの一端がわ底部に設けた排出用傾斜面２を利用して、容器本体Ａ内の犬の排泄物を中敷紙１０と共に容器本体Ａの一端がわから廃棄できるよう構成したものである。
【実施例】
【００１４】
前記容器本体Ａは、例えば、適宜合成樹脂材によって、平面略楕円状を呈する上部が比較的大きく開口されている略容器状に形成されており、携帯したときに邪魔にならないような寸法で、且つ犬の排泄物が余裕をもって収納できるような寸法に形成されている。
しかも、容器本体Ａの一端がわ底部には排出用傾斜面２が形成されており、この排出用傾斜面２は、一端がわに行くに従って漸次浅底となるような傾斜状態に形成されている。すなわち、容器本体Ａ内の犬の排泄物を中敷紙１０と共に容器本体Ａの一端がわからスムーズに廃棄できるよう構成されている。
尚、容器本体Ａの上端周縁の一端がわ外表面には、係止突起３が一体的に突設されている。
【００１５】
前記容器蓋体Ｂは、例えば、適宜合成樹脂材によって、平面略楕円状を呈する滑らかな湾曲蓋状に形成されており、しかも、その上部には、手指が入るような比較的大きな凹部が形成され、この凹部を跨ぐように取手１が設けられている。尚、容器蓋体Ｂの下部周壁部分の内表面には、容器本体Ａの上部周壁部分が収まるような適宜段部が設けられており、容器蓋体Ｂと容器本体Ａとの密閉性が高められるように形成してある。
【００１６】
そして、容器本体Ａと容器蓋体Ｂの他端部分に設けられる枢支部は、例えば、容器本体Ａと容器蓋体Ｂの他端部分に、枢支ピンが貫通可能なピン孔を備えた枢支突片を突設し、容器本体Ａと容器蓋体Ｂの枢支突片を枢支ピンで貫通することで、容器蓋体Ｂが容器本体Ａに対して上下方向に揺動自在となるように構成されたものである。
【００１７】
前記係止機構は、例えば、容器蓋体Ｂの一端がわにピン７を介して揺動自在に装着される係止枠片４と、係止枠片４の上端部に一体的に連設される操作レバー６と、係止枠片４の下端部分に設けた係止段部５が係脱自在に係止されると共に、容器本体Ａの一端部分に突設される係止突起３とで構成されている。
そして、操作レバー６の押圧操作によって係止枠片４が揺動し、係止突起３と係止段部５との係止状態が解除されて、容器蓋体Ｂによる容器本体Ａの上部開口部分の閉塞状態を解除でき、一方、係止枠片４の揺動操作（或いは、操作レバー６の揺動操作）によって、係止段部５と係止突起３とが係止状態となり、容器蓋体Ｂによる容器本体Ａの上部開口部分の閉塞状態を維持できるように形成されている。
尚、係止枠片４と操作レバー６は、適宜合成樹脂材によって一体的に形成されている。
【００１８】
前記係止枠片４は、例えば、適宜合成樹脂材によって形成されており、略コ字状の周壁部とこれを覆うような蓋部とで形成されている。しかも、その左右周壁の上部を跨ぐように金属製（金属製でなくても良い）ピン７の両端部分が装着されており、このピン７を介して上下方向に揺動できるように形成されている。
また、係止枠片４の下部周壁の中央には、係止段部５が一体的に形成されており、この係止段部５自身の弾性（或いは、係止枠片４自体の弾性）を利用して、係止突起３に係脱自在に係止されるように構成してある。
更に、係止枠片４の上端部分には、例えば、取手１の一部に所定間隔隔てた状態で沿うように配される適宜合成樹脂製の操作レバー６が一体的に連設されている。尚、操作レバー６は、取手１を掴んでいる方の手指（例えば、親指）で、容易に且つ確実に押圧できるように構成されたものであれば良い。
【００１９】
前記中敷紙１０は、例えば、少なくとも容器本体Ａの底壁部分の上面と周壁部分の内表面を、安定的に覆えるようなものが好ましい。また、中敷紙１０は、犬の排泄物と中敷紙１０自体を水洗トイレ等に流せるようにすべく、水溶性材料で構成したものが好適となる。尚、中敷紙１０は紙以外の材料で構成されたものであっても良い。
【００２０】
ところで、犬用携帯排泄物収納容器の具体的構成、形状、寸法、材質、容器本体Ａの具体的構成、形状、寸法、材質、容器蓋体Ｂの具体的構成、形状、寸法、材質、取手１の具体的構成、形状、寸法、材質、配設位置、排出用傾斜面２の具体的構成、形状、寸法、配設位置、係止突起３の具体的構成、形状、寸法、材質、配設位置、係止枠片４の具体的構成、形状、寸法、材質、配設位置、係止段部５の具体的構成、形状、寸法、配設位置、操作レバー６の具体的構成、形状、寸法、材質、配設位置、ピン７の具体的構成、形状、寸法、材質、配設位置、中敷紙１０の具体的構成、形状、寸法、材質等は、図示例のもの等に限定されることなく、適宜自由に設定、変更できるものである。
【図面の簡単な説明】
【００２１】
【図１】本考案を例示する斜視図である。
【図２】本考案を例示する一部切欠正面図である。
【符号の説明】
【００２２】
Ａ    容器本体
Ｂ    容器蓋体
１    取手
２    排出用傾斜面
３    係止突起
４    係止枠片
５    係止段部
６    操作レバー
７    ピン
１０  中敷紙
【図１】
0003110102.tif 000003
【図２】
0003110102.tif 000004